(57)【要約】【課題】撮影条件をより明確に表現することが可能なプリントを提供する。【解決手段】合成手段３０は、データ読出手段２０に入力された画像データに関連付けられた時間，場所，天候の撮影情報に対応する背景画像情報を、テンプレート記憶手段２８から読み出す。また、合成手段３０は、読み出された背景画像情報と、複数の画像データに含まれる複数の画像情報の少なくとも一つとを、背景画像情報による背景画像上の所定位置に画像情報の少なくとも一つによる画像が位置されるように合成して合成画像情報を生成する。これにより、背景画像に対して、画像情報による画像を任意の位置へ合成することができる。即ち、撮影時間，撮影天候，撮影場所に対応する背景画像情報による背景画像を画像情報による画像と合成し、合成画像情報による画像を印画紙にそれぞれ形成するので、撮影条件や環境などの撮影状態に沿ったプリントを提供することができる。【選択図】　図１
2004088229.tif 000002
【特許請求の範囲】
【請求項１】
撮影時間，撮影場所，及び撮影天候の少なくとも一つの撮影情報を、被写体を撮影する撮影手段によって得られた画像情報に関連付けた複数の画像データを入力する入力手段と、
前記撮影情報に対応する背景画像情報を複数記憶する記憶手段と、
前記画像データに基づいて、前記撮影情報に対応する前記背景画像情報を前記記憶手段から読出す読出手段と、
読み出した背景画像情報と、前記複数の画像データに含まれる複数の画像情報の少なくとも一つとを、前記背景画像情報による背景画像上の所定位置に画像情報の少なくとも一つによる画像が位置されるように合成して合成画像情報を得る合成手段と、
前記合成画像情報による画像が所定の大きさの印画紙に形成されるように出力する出力手段と、
を備える画像処理装置。
【請求項２】
前記合成手段は、前記背景画像と前記画像情報とを合成して撮影順の複数の合成画像を得る請求項１に記載の画像処理装置。
【請求項３】
前記合成手段は、前記所定位置に撮影順に位置されるように合成する請求項１に記載の画像処理装置。
【請求項４】
前記背景画像は予め定めた施設内や区域内の位置関係を表わし、前記所定位置は前記施設内や区域内の所定範囲の位置に対応する領域である請求項３に記載の画像処理装置。
【請求項５】
前記複数の画像情報の各々には、次の画像情報の位置を示す識別子が画像として付加される請求項３または４に記載の画像処理装置。
【発明の詳細な説明】
【０００１】
【発明の属する技術分野】
本発明は、画像処理装置にかかり、撮影により得られた画像情報に撮影時の情報を付加する画像処理装置に関する。
【０００２】
【従来の技術】
従来の画像処理装置には、デジタルカメラによる撮影時の画像情報に撮影情報を付与して記録媒体に記録すると共に、その画像情報の撮影情報に応じたテンプレートを選択することで合成画像情報を生成するものがある（例えば、特許文献１参照）。
【０００３】
【特許文献１】
特開２００２−１００６８号公報
【０００４】
【発明が解決しようとする課題】
ところで、従来の技術では雨などの天候により撮影状況が悪い場合に予め好条件で撮影されていた背景画像情報を差し替え合成することが可能であった。しかし、画像交換より一歩進んで、撮影状況の雰囲気（臨場感）をさらに演出することが望まれる場合もあった。
【０００５】
本発明の目的は、上記事実を考慮して、撮影条件をより明確に表現することが可能なプリントを提供できる画像処理装置を提供する。
【０００６】
【課題を解決するための手段】
本発明に係る画像処理装置では、撮影時間，撮影場所，及び撮影天候の少なくとも一つの撮影情報を、被写体を撮影する撮影手段によって得られた画像情報に関連付けた複数の画像データを入力する入力手段と、前記撮影情報に対応する背景画像情報を複数記憶する記憶手段と、前記画像データに基づいて、前記撮影情報に対応する前記背景画像情報を前記記憶手段から読出す読出手段と、読み出した背景画像情報と、前記複数の画像データに含まれる複数の画像情報の少なくとも一つとを、前記背景画像情報による背景画像上の所定位置に画像情報の少なくとも一つによる画像が位置されるように合成して合成画像情報を得る合成手段と、前記合成画像情報による画像が所定の大きさの印画紙に形成されるように出力する出力手段と、を備える。
【０００７】
本発明においては、読出手段が撮影情報たとえば撮影時間，撮影場所，撮影天候に対応する撮影情報背景を読出し、合成手段が読み出された背景画像情報と、複数の画像データに含まれる複数の画像情報の少なくとも一つとを、背景画像情報による背景画像上の所定位置に画像情報の少なくとも一つによる画像が位置されるように合成して合成画像情報を生成する。
【０００８】
すなわち、本発明では、入力された画像データに関連付けられた撮影情報に対応する背景画像情報を読み出す。この背景画像情報は、撮影時間で定まる画像，撮影場所で定まる画像，または撮影天候で定まる画像の何れかである。合成手段は、画像データに関連付けられた撮影情報と，背景画像とを合成する。また合成手段は、合成するとき、背景画像上の所定位置に画像情報による画像が位置されるようにする。
【０００９】
これにより、背景画像に対して、画像情報による画像を任意の位置へ合成することができる。従って、複数の画像情報による複数の画像を合成するとき、１つの背景画像の任意の位置へ複数画像を合成したり、背景画像と撮影画像とからなる複数の画像を合成したりする、合成画像情報を生成することができる。
【００１０】
たとえば撮影天候が雨の場合には、雨がイラスト化されているイメージの背景画像情報を合成する。また、撮影時間が午前中である場合には朝もやをイメージした背景画像情報を合成し、撮影時間が午後である場合には夕焼けをイメージした背景画像情報を合成する。
【００１１】
また、本発明においては、撮影場所たとえばアトラクション場での画像情報に、撮影されたアトラクションの名称が付加されている背景画像情報を合成したり、アトラクション毎に設定されたキャラクター特有の言い回しによる被撮影者へのコメントたとえば「○○と一緒に写真を撮ろう」などが付加されている背景画像情報を合成することができる。
【００１２】
なお、請求項２では、請求項１に記載の合成手段が、前記背景画像と前記画像情報とを合成して撮影順の複数の合成画像を得る。この場合、合成画像情報による画像が所定の大きさの印画紙に形成されるが、印画紙をたとえば長尺状（巻物状）にしてプリントすると、プリントの長手方向に沿って時間経過に伴う画像配列でプリントを形成できる。
【００１３】
また、請求項３では、請求項１に記載の合成手段が、前記所定位置に撮影順に位置されるように合成する。１つの背景画像上に複数の画像情報による画像を合成するとき、その順序によって、形成されたプリントを参照するユーザの印象が異なる場合がある。
【００１４】
そこで、予め定めた所定位置に、撮影順に位置させれば、得られるプリントから、時系列的な順序をユーザが把握でき、自身の行動把握も容易となる。また、請求項４では、背景画像が予め定めた施設内や区域内の位置関係を表わし、前記所定位置が前記施設内や区域内の所定範囲の位置に対応する領域であることを特徴とする。
【００１５】
たとえばテーマパークで頒布される地図を背景画像とした場合、テーマパーク中の施設毎に領域を定めることで、その施設の位置関係に対応する地図上に撮影した画像情報を位置させることができる。これにより、施設内におけるユーザの挙動を位置として含めたプリントを形成できる。
【００１６】
さらに、請求項５において、請求項３または４に記載に係る複数の画像情報の各々には、次の画像情報の位置を示す識別子が画像として付加される。複数の画像間、特に、瞬間的に隣り合う画像は、プリントとして形成されると、相互関係が明確ではない。そこで、次の画像情報の位置を示す識別子を画像として付加することで、容易に画像間の相互関係を表現することができる。この識別子の画像には、連続番号や，矢印などがある。
【００１７】
たとえばテーマパークで頒布される地図上において、撮影順序に応じた識別子の番号または矢印が、地図上の撮影された箇所で画像として付加することで、施設の移動順などのユーザの挙動を容易に把握可能なプリントを提供できる。
【００１８】
【発明の実施の形態】
以下、図１乃至図８に基づいて、本実施形態に係る画像処理装置について説明する。なお、図１は本実施形態に係る画像処理装置のブロック図、図２は本実施形態に係るデジタルカメラのブロック図、図５は印画紙を巻物形状とした図、図６は印画紙の撮影画像付近に「アトラクションの名称」を挿入した図、図７は撮影された画像に応じて印画紙の長さを変えた状態を示す図、図８はテーマパークの地図を印画紙とした図、図９はテーマパークの概要図である。
【００１９】
図９に示すように、本発明が適用可能な本実施形態の施設としてのテーマパークでは、アトラクション毎に施設装置７４，７６がそれぞれ設けられている（図９の例では、２箇所の施設装置のみを示す）。これらの施設装置７４，７６は、デジタルカメラなどの撮影装置を含んで構成され、撮影された画像の画像データが伝送可能に構成されている。
【００２０】
施設装置７４，７６は、管理センタなどに設置された画像処理装置１０に電気的に接続されている。なお、画像データはテーマパークの複数のアトラクション場に予め各々設置されているデジタルカメラから無線通信網によって送信されるようにしてもよく、有線によって送信されるようにしてもよい。
【００２１】
また、来園者（ユーザ）にはＩＤ番号が予め付与されており、このＩＤ番号によってユーザ毎の画像データをそれぞれ管理している。図９に示すように、ユーザＯＰがＩＤ番号が付与されたＩＤカード７０を携帯したり、ＩＤ番号が付与されたユーザカメラ７２を携帯することでユーザＯＰの識別が可能である。本実施形態では、施設装置７４，７６に含まれるデジタルカメラに装備されている図示しないセンサーが、ユーザに予め付与した発信機であるＩＤカード７０に反応することにより、自動的に撮影する場合を説明する。
【００２２】
図１に示すように、画像処理装置１０は、デジタルカメラ４０により取得された画像データに基づいて合成画像情報を生成する合成画像作成手段１２を備えており、この合成画像作成手段１２は、デジタルカメラ４０から送信された画像データを受信し合成画像作成手段１２に入力する入力手段（受信部）１４と、画像データ，合成画像情報などを表示するＣＲＴで構成されるモニタ１６と、各種データなどの入力を行うためのキーボード，マウスなどで構成される入力部１８とに接続されている。
【００２３】
なお、天候に関する情報は、デジタルカメラ４０からの撮影情報のほかに、撮影時刻および撮影場所を特定することにより、天気情報バンクから入手するように設定しても良い。
【００２４】
合成画像作成手段１２は、入力手段１４から入力された画像データを読み出すデータ読出手段２０を備えられる。データ読出手段２０は、入力側が入力手段１４に接続され、出力側が合成手段３０に接続されている。合成手段３０の入力側はさらに複数の背景画像であるテンプレートを表すテンプレートデータ（背景画像情報）を記憶するテンプレート記憶手段２８に接続されており、合成手段３０は読み出したテンプレートデータで表されたテンプレートに複数の画像データによって表された画像を配列して合成画像情報を生成する。
【００２５】
また、合成手段３０には、図示しないメモリを含んでおり、複数の合成画像情報を記録できるように構成されている。さらに、合成手段３０の出力側には、合成画像情報をプリント出力する出力手段のプリンタ３２が接続されている。
【００２６】
ここで、テンプレート記憶手段２８には、雨などの天候を表わす状態がイラスト化されているイメージのテンプレートデータ，「朝もや」や「夕焼け」などの環境雰囲気を表わす状態をイメージしたテンプレートデータ，アトラクションの名称に関するテンプレートデータ，被撮影者へのコメントたとえば「○○と一緒に写真を撮ろう」などのテンプレートデータが記憶されている。
【００２７】
また、デジタルカメラ４０から入力手段１４へ入力される画像データには、被写体を撮影するデジタルカメラ４０によって得られた画像情報と，この画像情報に関連付けられる撮影時間，撮影場所，または撮影天候の少なくとも一つの撮影情報とが含まれている。そして、データ読出手段２０には、撮影情報から撮影時間を読み出す時刻データ部２２と、撮影天候を読み出す天候データ部２４と、アトラクション場などの撮影場所を読み出す位置データ部２６とを含む。
【００２８】
さらに、データ読出手段２０は、入力手段１４から入力された画像情報および撮影情報を読み出して合成手段３０に出力する。即ち、データ読出手段２０の時刻データ部２２，天候データ部２４，または位置データ部２６は、撮影情報から撮影時間，撮影天候，または撮影場所に対応するデータを、合成手段３０に出力する。
【００２９】
そして、合成手段３０は、撮影時間データ，撮影天候データ，または撮影場所データに対応するテンプレートを表すテンプレートデータを、テンプレート記憶手段２８から読み出す。
【００３０】
ここで、図２に基づき、上記画像情報および撮影情報を含む画像データを出力するデジタルカメラ４０について説明する。デジタルカメラ４０は、装置全体の動作を司る制御手段（中央演算処理装置）５０を備えており、制御手段５０は被写体を撮影して被写体像を表す画像情報を得る撮像手段４２に接続されている。また、制御手段５０は、ＧＰＳ衛星からの測位用電波に基づいてＧＰＳ情報を取得するＧＰＳ手段４４、画像情報などを表示するＬＣＤで構成される表示手段４６、及び撮像手段４２で取得した画像情報およびＧＰＳ手段４４で取得したＧＰＳ情報を関連付けられた画像データを画像処理装置１０の入力手段１４へ送信する送信手段４８に接続されている。
【００３１】
ＧＰＳ手段４４は、ＧＰＳ衛星からの測位用電波を利用して、撮影場所および撮影時刻などに関する情報を、ＧＰＳ情報として取得する。また、天候に関する情報は、デジタルカメラ４０のセレクトボタンなどで構成される入力部（図示省略）により、ユーザ自身が入力するように設定しても良い。なお、撮像手段４２には、図示しない結像光学系，ＣＣＤ，シャッタ，ズーム機構，ＡＥ機構，ＡＦ機構などが設けられている。また、デジタルカメラ４０には、図示しないレリーズボタンなどが配置されている。
【００３２】
次に、図３に基づき、デジタルカメラ４０の画像データ生成処理について説明する。図３は、デジタルカメラ４０の電源スイッチ（図示省略）がオンされた際に、制御手段５０によって実行される処理ルーチンを示すフローチャートである。
【００３３】
デジタルカメラ４０の電源スイッチがオンされると所定時間毎に図３の処理ルーチンが実行され、ステップ１００へ進む。ステップ１００ではＧＰＳ情報をＧＰＳ手段４４から取得し、次にステップ１０２ではレリーズボタンがオンされてか否かを判断する。ステップ１０２で否定の場合（レリーズボタンがオンされない場合）には、ステップ１００に戻る。
【００３４】
一方、ステップ１０２で肯定の場合（レリーズボタンがオンされた場合）には、ステップ１０４において、撮像手段４２の撮像によって被写体像の画像情報を得る撮像処理を行う。ステップ１０６では撮像処理された被写体像の画像情報を表示手段４６に表示させ、ステップ１０８では送信手段４８によって画像データを画像処理装置１０の入力手段１４へ送信し、本ルーチンを終了する。
【００３５】
ステップ１０８の送信処理は、撮像手段４２で得られた画像情報、および上述の撮影時間，撮影場所，撮影天候などの撮影情報を関連付けて、画像データとした後に行う処理である。また、上記撮影情報の中には、ユーザに予め付与されたＩＤ番号も含まれている。
【００３６】
次に、画像処理装置１０の作動を説明する。入力手段１４から画像データが入力されると、図４の処理ルーチンが実行され、ステップ１１０へ進む。ステップ１１０では、データ読出手段２０において、入力手段１４から入力された画像データから画像情報および撮影情報を読み出す。
【００３７】
即ち、ステップ１１０では、データ読出手段２０の時刻データ部２２，天候データ部２４，または位置データ部２６により、撮影情報から撮影時間，撮影天候，または撮影場所に対応するデータを合成手段３０に出力する。そして、ステップ１１２では、撮影時間データ，撮影天候データ，または撮影場所データに対応するテンプレートを表すテンプレートデータを、テンプレート記憶手段２８から読み出す。
【００３８】
ステップ１１４では、読み出されたテンプレート上の所定位置に、画像情報の画像が位置されるように挿入する。ステップ１１６では画像情報の画像を挿入したテンプレートを合成して合成画像情報を生成し、ステップ１１８は生成した合成画像情報を記録する。なお、このステップ１１８では、上述したＩＤ番号の同一データのみを取得し編集するように、上記合成画像情報を時系列順に記録する。
【００３９】
ステップ１２０では、プリントアウトの指示が入力されたか否かを判断する。
【００４０】
ステップ１２０が否定の場合（プリントアウトの指示が入力されない場合）は、本ルーチンを終了する。ステップ１２０で肯定の場合（プリントアウトの指示が入力された場合）は、ステップ１２２において、生成された複数の合成画像情報をプリンタ３２に供給し、プリントとして出力する。
【００４１】
例えば、図５に示すように、印画紙５０を長尺状（巻物状）としてプリントする。そして、印画紙５０には、名称，入園日，背景画などがプリントされる（図５参照）と共に、図６に示すように、時系列順に配列されかつ背景画像上の所定位置に撮像された画像が位置するように合成される。
【００４２】
このイメージの一例としては、午前中に撮影された「入口」での画像では、たとえば「朝もや」をイメージした背景画像情報による画像を合成することができる。正午ごろに「お花畑」で撮影した際の撮影天候が雨の場合には、たとえば「雨」がイラスト化されているイメージの背景画像情報による画像を合成することができる。午後に撮影された「食堂前」での画像では、たとえば「夕焼け」をイメージした背景画像情報による画像を合成することができる。
【００４３】
また、合成画像情報による画像には、撮影時刻および撮影場所の名称なども併せて合成することができる。なお、本実施形態では、図示しないが、アトラクション毎に設定されたキャラクター特有の言い回しによる被撮影者へのコメント、たとえば「○○と一緒に写真を撮ろう」などが付加されている背景画像情報による画像を合成するようにしても良い。
【００４４】
本実施形態によれば、撮影時間，撮影天候，または撮影場所に対応する背景画像情報による背景画像を画像情報による画像と合成し、合成画像情報による画像を印画紙５０にそれぞれ形成するので、臨場感がより演出されメモリアル性がさらに向上する。
【００４５】
なお、図７に示すように、撮影された画像数に応じて、印画紙５０の長さを変えるようにしても良い。この場合には、撮影された画像数に応じて印画紙５０の長さが変わり、一連の画像（プリント画像）を一ロールで提供できる。また、図５に示すように、印画紙５０を巻物状にすると、省スペース化を図ることができる。
【００４６】
さらに、図８に示すように、背景画像が予め定めた施設の位置関係を表わし、背景画像の所定位置が施設内の所定範囲の位置に対応する領域にすると、たとえばテーマパークで頒布される地図をそのまま印画紙５２として使用できるので、臨場感がより演出されメモリアル性がさらに向上する。
【００４７】
また、図８に示すように、次の画像情報の位置を示す識別子の矢印５４を画像として付加すると、テーマパークで頒布される地図（印画紙５２）上において、撮影順序に応じた矢印５４が、地図上の撮影された箇所で画像として付加されるので、メモリアル性がさらに向上する。
【００４８】
このような地図を利用する場合、上記印画紙５０または５２を、ユーザが退園する際に、提供することより、ユーザの感心度向上や、記念品としての付加価値向上を図ることができる。なお、本実施形態の識別子は、矢印５４のほかに、番号を用いても良い。
【００４９】
上記実施形態において、テーマパーク内でいわゆるスタンプラリーを行う場合には、アトラクションなどの込み具合の情報をユーザに告知することにより、特定順番での撮影を指示しても良い。この場合には、上記画像データによって撮影順番を確認できるので、割引などの特典を与えることができると共に、施設内の移動指示などが可能であると共に、スタンプを収集するような遊び心を促す、プリント提供が可能となる。
【００５０】
なお、本実施形態ではデジタルカメラ４０と画像処理装置１０との送受信を無線通信網で行う例であるが、本発明はこれに限定されるものではなく、ＵＳＢ，ＩＥＥＥ１３９４などの有線通信またはスマート・メディア，コンパクト・フラッシュ，ＡＴＡカード，フロッピィディスク，ＣＤ−Ｒ，ＣＤ−ＲＷなどの記録媒体で行うようにしても良い。
【００５１】
また、本実施形態では撮影手段を設置用のデジタルカメラとした例であるが、本発明では撮影手段をレンタル用にして携帯させても良く、またユーザ自身のデジタルカメラ，撮像機能を備えた携帯電話，ＰＤＡ（Ｐｅｒｓｏｎａｌ　　Ｄｉｇｉｔａｌ　Ａｓｓｉｓｔａｎｃｅ）などを適用できるようにしても良い。
【００５２】
さらに、本実施形態において説明した各プログラムの処理の流れ（図３または図４参照）は一例であり、本発明の主旨を逸脱しない範囲内において適宜変更可能であることは言うまでもない。また、合成画像情報を出力する出力手段は、プリンタ（プリント）のほかに、上述した記録媒体などであっても良い。
【００５３】
なお、本実施形態中、印画紙との表現は、銀塩写真用のみを特定するものでなくインクジェットプリンターや昇華型プリンターなども含む観賞用の写真用紙の意味であってもよい。
【００５４】
【発明の効果】
以上説明したように、本発明によれば、撮影時間，撮影天候，及び撮影場所に対応する背景画像情報による背景画像を画像情報による画像と合成し、合成画像情報による画像を印画紙にそれぞれ形成するので、撮影条件や環境などの撮影状態に沿ったプリントを提供することができる、という効果がある。
【図面の簡単な説明】
【図１】本実施形態に係る画像処理装置のブロック図である。
【図２】本実施形態に係るデジタルカメラのブロック図である。
【図３】図２に示すデジタルカメラの画像データ生成処理の流れを示すフローチャートである。
【図４】図１に示す画像処理装置の画像処理の流れを示すフローチャートである。
【図５】印画紙を巻物形状とした図である。
【図６】印画紙の撮影画像付近に「アトラクションの名称」を挿入した図である。
【図７】撮影された画像に応じて印画紙の長さを変えた状態を示す図である。
【図８】テーマパークの地図を印画紙とした図である。
【図９】テーマパークの概要図である。
【符号の説明】
１０　　画像処理装置（パーソナル・コンピュータ）
１４　　入力手段
２０　　データ読出手段
２８　　テンプレート記憶手段
３０　　合成手段
３２　　プリンタ（出力手段）
４０　　デジタルカメラ（撮影手段）
５０　　印画紙
５２　　印画紙
５４　　矢印（識別子）
７０　　ＩＤカード
７２　　ユーザカメラ（撮影手段）
７８　　受信機
ＯＰ　　ユーザ
【図１】
2004088229.tif 000003
【図２】
2004088229.tif 000004
【図３】
2004088229.tif 000005
【図４】
2004088229.tif 000006
【図５】
2004088229.tif 000007
【図６】
2004088229.tif 000008
【図７】
2004088229.tif 000009
【図８】
2004088229.tif 000010
【図９】
2004088229.tif 000011